(57)【要約】【課題】  例えば、箪笥内などの湿度が洋服や着物などの衣類を収納するのに適した湿度であるか迅速、容易かつ正確に把握できることはもちろんのこと、押入れの湿度、下駄箱の湿度、車内の湿度、建物内の湿度、体に害を与える湿気が多い環境などを容易かつ迅速に把握できる、感湿組成物、湿度判定ペン及び湿度判定キットを提供する。【解決手段】  コバルト塩と、水と、アルコール類と、乳酸ナトリウムとを含有してなる感湿組成物、この感湿組成物を収納した湿度判定ペン、この湿度判定ペンと吸水性基材からなるカードとを備えてなる湿度判定キットにより課題を解決した。【選択図】  図２
2005308550.tif 000002
【特許請求の範囲】
【請求項１】
コバルト塩と、水と、アルコール類と、乳酸ナトリウムとを含有してなることを特徴とする感湿組成物。
【請求項２】
前記コバルト塩は、塩化コバルトであることを特徴とする請求項１に記載の感湿組成物。
【請求項３】
前記アルコール類は、エチルアルコール及び／又はイソプロピルアルコールであることを特徴とする請求項１又は２に記載の感湿組成物。
【請求項４】
前記コバルト塩の配合重量比は、水の重量を１とした場合に、０．２〜１であることを特徴とする請求項１から３のいずれか１項に記載の感湿組成物。
【請求項５】
前記アルコール類の配合重量比は、水の重量を１とした場合に、０．００５〜０．５であることを特徴とする請求項１から４のいずれか１項に記載の感湿組成物。
【請求項６】
請求項１から５のいずれか１項に記載の感湿組成物をマーキングペン形状の容器に収納したことを特徴とする湿度判定ペン。
【請求項７】
請求項６に記載の湿度判定ペンと吸水性材料からなるカードとを備えてなることを特徴とする湿度判定キット。
【発明の詳細な説明】
【技術分野】
【０００１】
本発明は、例えば、箪笥内などの湿度が洋服や着物等の衣類を収納するのに適した湿度であるか迅速、容易かつ正確に把握し、押入れの湿度、下駄箱の湿度、車内の湿度、建物内の湿度、体に害を与える湿気が多い環境などを容易かつ迅速に把握するために用いられる感湿組成物、湿度判定ペン及び湿度判定キットに関する。
【背景技術】
【０００２】
コバルト塩は、乾燥時には青色を呈し、吸湿時には桃色を呈する可逆的性質を有する。そのため、従来、特許文献１に示されるように、塩化コバルト等のコバルト塩と、塩化カルシウム等のアルカリ土類金属塩とを含有する湿度インジケータが知られている。また、特許文献２には、塩化コバルト水溶液をろ紙に含ませて十分に乾燥した試験紙の変色度を測定して、被測定物の水分量を検出する方法が開示されている。
【特許文献１】特開平１−１５３９４１号公報
【特許文献２】特開平２−９１５５１号公報
【発明の開示】
【発明が解決しようとする課題】
【０００３】
しかしながら、特許文献１に示された湿度インジケータは、特許文献２に示されたコバルト塩単独の水溶液をろ紙に含浸させ乾燥させた試験紙に比べると、より早く色変化が生じるが、それでも数分程度の時間を経なければ色変化が起こらないため、色変化の速度が実用的でないという欠点があった。
【０００４】
また、一般的に、基材がある程度吸湿するまでは色変化が生じにくく、基材に含まれている水分がある程度放出されるまでは色変化が生じにくいため、基材として吸水性材料を用いた場合には色変化が発生するまで時間を要することになる。ところが、塩化コバルトを含有する水溶液を含浸して保持するには、基材に吸水性があることが不可欠であるため、吸水性による色変化の遅延は避けられないという問題がある。
【０００５】
一方、洋服や着物などの衣類を収納する箪笥内などの湿度は相対湿度５５％程度以下が適しているといわれるが、コバルト塩の変色湿度は相対湿度４０〜５０％程度であるため、洋服や着物などの衣類を収納する箪笥内などに使用する場合には、相対湿度５５％程度以下が同じ色となるように、コバルト塩由来の変色湿度を調節する必要がある。
【０００６】
本発明は、以上の点に鑑みてなされたものであり、その目的とするところは、例えば、箪笥内などの湿度が洋服や着物などの衣類を収納するのに適した湿度であるか迅速、容易かつ正確に把握できることはもちろんのこと、押入れの湿度、下駄箱の湿度、車内の湿度、建物内の湿度、体に害を与える湿気が多い環境などを容易かつ迅速に把握できる、感湿組成物、湿度判定ペン及び湿度判定キットを提供することにある。
【課題を解決するための手段】
【０００７】
本発明者は、上記目的を達成すべく様々な検討を重ねた結果、コバルト塩と、水と、アルコール類と、乳酸ナトリウムとを含有してなる感湿組成物などが上記課題を解決することを見出し、本発明をするに至った。
【０００８】
即ち、本発明の感湿組成物は、コバルト塩と、水と、アルコール類と、乳酸ナトリウムとを含有してなるものである。
【０００９】
この発明の好適形態においては、前記コバルト塩は、塩化コバルトである。前記アルコール類は、エチルアルコール及び／又はイソプロピルアルコールである。前記コバルト塩の配合重量比は、水の重量を１とした場合に、０．２〜１である。前記アルコール類の配合重量比は、水の重量を１とした場合に、０．００５〜０．５である。
【００１０】
本発明の湿度判定ペンは、前記感湿組成物を収納したものである。
【００１１】
本発明の湿度判定キットは、前記湿度判定ペンと吸水性材料からなるカードとを備えてなるものである。
【発明の効果】
【００１２】
本発明の感湿組成物を、例えば、相対湿度５５％程度以下が同じ色となるように変色湿度を調節した場合には、この感湿組成物を収納した、本発明の湿度判定ペン又は本発明の湿度判定キットを用いることにより、箪笥内などが洋服や着物などの衣類を収納するのに適した湿度であるか、迅速、容易かつ正確に把握できるという利点がある。
【００１３】
本発明の感湿組成物は、吸水性による色変化の遅延を極力抑制することができるため、例えば、洋服や着物などの衣類を収納する箪笥内などの湿度はもちろんのこと、押入れの湿度、下駄箱の湿度、車内の湿度、建物内の湿度、体に害を与える湿気が多い環境などを容易かつ迅速に把握できるという利点がある。
【００１４】
その他、本発明により、カビ、虫食い、衣類の色素変化などを効果的に抑制できるという利点もある。
【発明を実施するための最良の形態】
【００１５】
本発明の感湿組成物は、コバルト塩と、水と、アルコール類と、乳酸ナトリウムとを含有してなるものである。
【００１６】
本発明に用いることができるコバルト塩は、湿度により色が変化するものであれば特に限定されず、例えば、塩化コバルト、臭化コバルト、硫酸コバルト、炭酸コバルトなどが挙げられるが、色変化が明瞭で早いことから、塩化コバルトが好ましい。
【００１７】
コバルト塩の配合重量比は、水の重量を１とした場合に、０．２〜１であるのが好ましい。コバルト塩の配合重量比は、水の重量を１とした場合に、０．２未満であると、コバルト塩が設定した変色湿度で変色しなくなるおそれがあるという理由から好ましくなく、逆に、１を超えると、できあがった感湿組成物を塗った部分のざらつきが目立つようになるという理由から好ましくないからである。
【００１８】
本発明に用いることができる水は、水道水であっても、蒸留水であっても、精製水であってもよい。
【００１９】
本発明の感湿組成物には、アルコール類が含有されているため、吸水性材料に含浸させた場合における浸透性が良好になって色変化の遅延が効果的に抑制されるだけでなく、コバルト塩由来の変色湿度を自在に調節することができ、さらに、殺菌効果も付与される。
【００２０】
本発明に用いることができるアルコール類は、メチルアルコール以外であれば特に限定されず、例えば、エチルアルコール、プロピルアルコール、イソプロピルアルコール、ブチルアルコール、イソブチルアルコール等の一種又は二種以上の混合物が挙げられるが、色変化の遅延の抑制等という点において、エチルアルコール及び／又はイソプロピルアルコールが好ましい。
【００２１】
アルコール類の配合重量比は、コバルト塩の変色湿度が変化するという点で重要である。アルコール類の配合重量比は、コバルト塩の変色湿度をどのように設定するかによって代わってくるため、一律に決められないが、水の重量を１とした場合に、０．００５〜０．５であるのが好ましい。アルコール類の配合重量比は、水の重量を１とした場合に、０．００５未満であると、紙などへの浸透性が弱くなって、色の変化に時間がかかるようになるだけでなく、マーキングペン形状などの容器に収納した場合において、例えば、フエルト状のペン芯やペン先の殺菌が不十分となり、ペン先から不純物が浸入したときなどに、変色しなくなるおそれがあるという理由から好ましくなく、逆に、０．５を超えると、コバルト塩が変色する場合における正確性や安定性が低下することがあり、青色の鮮明度も悪くなってしまうという理由から好ましくないからである。
【００２２】
本発明の感湿組成物には、乳酸ナトリウムが含有されているため、アルコール類の分解が防止され、感湿性能の安定性がより高くなる。なお、乳酸ナトリウムはアルコール類に対してごく少量加える程度でよい。
【００２３】
本発明の感湿組成物には、本願発明の効果を損なわない範囲で各種添加物を配合することができる。
【００２４】
本発明の感湿組成物は、湿度を感知して変色する標識としての役割を有し、湿度の高低により色が変化する。例えば、相対湿度５５％程度以下が同じ色となるように設定した本発明の感湿組成物を和紙に塗ると、約１分程度で、相対湿度５０％の場合には、青色となり、相対湿度５０％から低くなる程、青色が濃くなる。一方、相対湿度６０〜８０％の場合には、薄い桃色になる。従って、相対湿度５５％程度以下が同じ色となるように設定した本発明の感湿組成物を用いれば、箪笥内などの湿度が洋服や着物などの衣類を収納するのに適しているかどうかを迅速かつ容易に把握することができるようになる。
【００２５】
本発明の湿度判定ペンは、前記感湿組成物をマーキングペン形状の容器に収納したものである。
【００２６】
感湿組成物をマーキングペン形状の容器に収納するのは、感湿組成物の感湿性能を長期間維持するためであり、コバルト塩の特性を生かし、水で希釈した場合に使用しやすくするため等である。ここで、マーキングペン形状の容器としては、例えば、感湿組成物を貯蔵する本体軸と、感湿組成物を吐出させるように本体軸の前端側に前方へ突出して装着されたペン芯と、ペン芯の前方突出部分を覆うように、本体軸の前端側に着脱自在に装着されるキャップとを備えたものを挙げることができる。しかし、本発明の湿度判定ペンに用いることができるマーキングペン形状の容器は、これに限定されず、一般にマーキングペンと呼ばれているものと同様の形状であれば差し支えない。
【００２７】
本発明の湿度判定キットは、前記湿度判定ペンと吸水性材料からなるカードとを備えてなるものである。
【００２８】
ここにいう吸水性材料は、感湿組成物を含浸して保持することができる材料であれば特に限定されないが、例えば、一般に紙と呼ばれるもの、具体的には、和紙、洋紙、ろ紙、コピー紙、ケント紙、画用紙などが挙げられ、吸収性の点で、和紙が好ましい。
【実施例】
【００２９】
（１）感湿組成物の作成
（実施例１）
以下に示したものを混合し、本発明となる感湿組成物１を得た。
塩化コバルト                                                      １ｋｇ
水                                                                ２ｋｇ
乳酸ナトリウムを０．１重量％含む市販のエタノール製剤            １００ｇ
【００３０】
（実施例２）
塩化コバルト１ｋｇを１．２ｋｇに代えた以外は、実施例１と同様の操作を繰り返し、本発明となる感湿組成物２を得た。
【００３１】
（実施例３）
乳酸ナトリウムを０．１重量％含む市販のエタノール製剤１００ｇを２００ｇに代えた以外は、実施例１と同様の操作を繰り返し、本発明となる感湿組成物３を得た。
【００３２】
（実施例４）
塩化コバルト１ｋｇを０．３８ｋｇに代えた以外は、実施例１と同様の操作を繰り返し、本発明となる感湿組成物４を得た。
【００３３】
（比較例１）
乳酸ナトリウムを０．１重量％含む市販のエタノール製剤１００ｇを、乳酸ナトリウムを含まない市販のエタノール１００ｇに代えた以外は、実施例１と同様の操作を繰り返し、比較例となる感湿組成物Ｒ１を得た。
【００３４】
（２）湿度判定ペンの作成
（実施例５〜８、比較例２）
感湿組成物を含浸するフエルト状のペン芯６０を収容し、乾燥や異物の混入を防止するための尾栓５０が勘着可能である本体軸２０と、ペン芯６０と接触し、感湿組成物を吐出させるように本体軸２０の前端側に前方へ突出して装着されたペン先３０と、ペン先３０の前方突出部分を覆うように、本体軸２０の前端側に着脱自在に装着されるキャップ４０を備えた、図１に示すマーキングペン形状の容器１０を５個作成し、それぞれ、容器１〜４、Ｒ１とした。容器１〜４、Ｒ１のそれぞれに、感湿組成物１〜４、Ｒ１を収納し、実施例となる湿度判定ペン１〜４と、比較例となる湿度判定ペンＲ１を作成した。
【００３５】
（３）湿度判定キットの作成
（実施例９）
湿度判定ペン１と、図２に示す模様７０を片面に印刷した吸水性材料（和紙）からなるカードを備えた、実施例となる湿度判定キット１を作成した。
【００３６】
（実施例１０）
湿度判定ペン２と、吸水性材料（和紙）からなるカードを備えた、実施例となる湿度判定キット２を作成した。
【００３７】
（実施例１１）
湿度判定ペン３と、吸水性材料（コピー用紙）からなるカードを備えた、実施例となる湿度判定キット３を作成した。
【００３８】
（実施例１２）
湿度判定ペン４と、吸水性材料（和紙）からなるカードを備えた、実施例となる湿度判定キット４を作成した。
【００３９】
（比較例３）
湿度判定ペンＲ１と、吸水性材料（和紙）からなるカードを備えた、比較例となる湿度
判定キットＲ１を作成した。
【００４０】
（４）湿度判定試験
（試験例１）
透明のガラス製容器を用意し、容器中を相対湿度５０％とした。その後、湿度判定ペン１〜４、Ｒ１を用いて、湿度判定キット１〜４、Ｒ１に備えられたカードの所定の位置に、それぞれ感湿組成物１〜４、Ｒ１を塗り、直ちにカードをガラス製容器に収納した。その結果、感湿組成物１〜３を塗ったカードは、いずれも約１分位で青色に変化し、感湿組成物４を塗ったカードは、約１分位でうすい桃色に変化した。それに対し、感湿組成物Ｒ１を塗ったカードは、約３分程度経過してやっと青色になったが、その発色は良好でなかった。なお、感湿組成物Ｒ１については、同一条件で追試を行ったところ、青色の発色は依然として良好ではなく、発色の度合いが多少変化していたこともわかった。
【００４１】
（試験例２）
透明のガラス製容器を用意し、容器中を相対湿度３５％とした。その後、湿度判定ペン１〜４、Ｒ１を用いて、湿度判定キット１〜４、Ｒ１に備えられたカードの所定の位置に、それぞれ感湿組成物１〜４、Ｒ１を塗り、直ちにカードをガラス製容器に収納した。その結果、感湿組成物１〜３を塗ったカードは、いずれも約１分位で濃い青色に変化し、感湿組成物４を塗ったカードは、約１分位で桃色に変化した。それに対し、感湿組成物Ｒ１を塗ったカードは、約３分程度経過してやっとうすい青色になった。
【００４２】
試験例１及び試験例２の結果から、本発明の感湿組成物、湿度判定ペン及び湿度判定キットは、例えば、箪笥内などの湿度が洋服や着物などの衣類を収納するのに適しているかどうかを、迅速、容易、かつ正確に把握できることはもちろんのこと、コバルト塩の変色湿度を適宜変化させることにより、押入れの湿度、下駄箱の湿度、車内の湿度、建物内の湿度、体に害を与える湿気が多い環境などを容易かつ迅速に把握できるということが明らかとなった。
【図面の簡単な説明】
【００４３】
【図１】本発明の湿度判定ペンに用いるマーキングペン形状の容器の一例を示す図である。
【図２】本発明の湿度判定キットに用いる吸水性材料からなるカードに印刷される模様の一例を示す図である。
【符号の説明】
【００４４】
１０    マーキングペン形状の容器
２０    本体軸
３０    ペン先
４０    キャップ
５０    尾栓
６０    ペン芯
７０    模様
【図１】
2005308550.tif 000003
【図２】
2005308550.tif 000004